(57)【要約】【課題】メガネ部品を連結する為にネジに螺合するナットであって、簡単な構造で緩みを防止することが出来るメガネフレーム用ナットの提供。【解決手段】ナットは樹脂製としてネジ穴４に形成されるネジ山５は不完全形状とし、そして胴部２より大きな外径をした円盤状の底部１の底面９は中央部が窪んだ凹状としている。【選択図】        図１
2005054812.tif 000002
【特許請求の範囲】
【請求項１】
メガネ部品を連結する為にネジに螺合するナットにおいて、該ナットは樹脂製としてネジ穴に形成されるネジ山は不完全形状とし、そして底面は中央部が窪んだ凹状としたことを特徴とするメガネフレーム用ナット。
【請求項２】
胴部より大きな外径をした円盤状の底部を形成し、該底部の底面を凹状化した請求項１記載のメガネフレーム用ナット。
【請求項３】
ネジ穴はネジ山を形成しないストレート穴とした請求項１、又は請求項２記載のメガネフレーム用ナット。
【発明の詳細な説明】
【０００１】
【発明の属する技術分野】
本発明はメガネフレームを組立てる場合に使用されるナットであって、緩み防止機能を備えたナットに関するものである。
【０００２】
【従来の技術】
図５は従来の一般的な縁無しメガネを示している具体例である。両レンズ（イ）、（イ）は連結部材（ロ）によってネジ止めされ、レンズ（イ）、（イ）の外側にはヨロイ（ハ）、（ハ）がネジ止めにて取着されている。そして、このヨロイ（ハ）には継手部を介してツル（ニ）が折畳み出来るように取付けされ、さらにレンズ（イ）の内側には上記連結部材（ロ）から延びる脚先端に鼻当てパット（ホ）が設けられている。
【０００３】
ところで、両レンズ（イ）、（イ）は連結部材（ロ）にてネジ止めされ、同じくヨロイ（ハ）はレンズ外側にネジ止めされているが、１本のネジでレンズ（イ）と連結固定する場合、ネジを中心として回転しない構造としなければならない。縁無しメガネではレンズの外周に当接する当り片（ヘ）を連結部材（ロ）並びにヨロイ（ハ）に設けることで、レンズの回転を阻止してガタ付かない構造が採用されている。
【０００４】
このように、両レンズ（イ）、（イ）を連結部材（ロ）の両サイドにネジ止めし、レンズ外側にヨロイ（ハ）、（ハ）をネジ止めしているが、該ネジ（ト）、（ト）・・に弛みが生じるならば、上記当り片（ヘ）がレンズ外周に正しく当接していてもガタ付を発生する。従来、メガネ用ネジとして弛み止め対策が施されたものも存在し、ネジ外周に樹脂をコーティングしたネジ、又外周にスリット溝を形成したネジが知られている。しかし、このようなネジであっても弛みを完全に防止することは不可能である。
【０００５】
同図の（ｂ）はレンズ（イ）とヨロイ（ハ）とのネジ止め構造を示している断面図を示している。該ヨロイ（ハ）から延びる止着片（チ）がレンズ面に当接してレンズ（イ）とネジ止めされているが、レンズ（イ）に貫通して設けた穴には樹脂製のツバ付きワッシャ（リ）が嵌り、ネジ（ト）は該ツバ付きワッシャ（リ）の穴に挿通して裏側へ突出してナット（ヌ）が螺合している。しかし、該ナット（ヌ）は緩んでレンズ（イ）はガタ付きを発生する。
【０００６】
【発明が解決しようとする課題】
このように、従来のネジには上記のごとき問題がある。本発明が解決しようとする課題はこの問題点であり、簡単な構造で緩みを防止することが出来るメガネフレーム用ナットを提供する。
【０００７】
【課題を解決する為の手段】
本発明に係るメガネフレーム用ナットは樹脂製であり、金属ネジのネジ山との密着性を高めている。そして、ナットネジ山は正規の形状ではなく、ネジを螺合することでネジ山が切削され、その結果、ネジのネジ山との密着性は更に向上してナットの緩みは防止される。時には、ナットのネジ穴にネジ山を設けない場合もあり、この際もネジをネジ穴に螺合することでネジ山が切削される。
【０００８】
一方、ナットの底は凹状化している。すなわち、ナットをネジに螺合して締め付ける際には、底の外周縁が当接するように中央部が窪んでいて、皿ワッシャとして機能を備えている。しかし、あくまでもナットであり、ナット底に形成される皿ワッシャの耐荷重は大きくてナットを強力に締付ける場合であっても、ワッシャの作用効果が維持される。以下、本発明に係る実施例を図面に基づいて詳細に説明する。
【０００９】
【実施例】
図１は本発明に係るメガネフレーム用ナットを示す実施例である。該ナットは特殊な樹脂製であって、底部１、胴部２、及び頭部３から成って、一体成形されている。勿論、切削することは自由である。底部１は円盤状を成し、胴部２は六角柱を成し、そして頭部３は概略半球状を成し、中心軸部にはネジ穴４が貫通して設けられ、該ネジ穴４にはネジ山が形成されている。
【００１０】
図２は図１におけるＡ−Ａ断面を示しているが、ネジ穴４の内周面にはネジ山５，５・・が等間隔で形成されている。しかし、ネジ山５は正規の形状ではなく、谷部６は浅く成っていて、ネジがネジ穴４に螺合することで、谷部６はネジのネジ山にて切削される。図３は図２のＢ部拡大図でネジ７が螺合した場合を示しているように、金属製のネジ７はネジ穴４の谷部６を削り取りながら螺合して、ネジ７のネジ山８とネジ穴４のネジ山５は所定の面圧を発生して互いに密着する。
【００１１】
そして、本発明に係るナットは図１、図２から明らかなように、底部１の底面９は平坦面でなく凹状化している。従って、該ナットを締付ける場合、反力として底面９に圧力Ｐが作用するが、凹状化している為に外周縁１０が押圧される。その結果、外周縁１０は圧縮されて変形し、該底部１はバネ性を発揮することが出来る。ここで、底部１の外径は胴部２より一回り大きく成っている為に、該底部１の外周縁１０は圧縮変形し易く成っている。
【００１２】
従って、ネジ穴４に螺合するネジ７は、ネジ山５，８相互間に作用する大きな一定面圧により緩むことがない。厚さの大きな皿ワッシャを使用することはスペース的に困難であるが、ナットに皿ワッシャを一体化することで大きなバネ効果を発揮することが出来、これがナットの緩み防止に効果がある。
【００１３】
図１、図２に示すナットでは、底面９は滑らから凹状曲面を形成しているが、必ずしも凹状曲面とする必要はなく、段付き凹部とする場合もある。そして、ネジ穴に螺合したネジ７を締付けることで、ナットの底面９の外周縁１０が圧縮変形して中央部が接するまで、又は近接するまで締めることが出来、ネジ７の緩みを防止する。
【００１４】
図４は本発明のナット断面を示す他の実施例である。該ナットの外観は前記図１に示す場合と共通しているが、ネジ穴１１にはネジ山を設けていない。すなわち、該ネジ穴１１はストレート穴であり、該ネジ穴１１にネジ７を螺合する際にネジ山が加工されて締め付けられる。
【００１５】
ところで、本発明のナットは主として縁無しメガネにおいてレンズと連結部材及びヨロイとの連結手段として使用される。その他に、蝶番の軸ネジその他の部品締結手段として採用することが出来る。
【００１６】
以上述べたように、本発明に係る樹脂製ナットはネジ穴に形成されるネジ山を不完全な形状としたり、又はネジ山を設けないストレート穴とし、そして底面は凹状化したものであり、次のような効果を得ることが出来る。
【００１７】
【発明の効果】
本発明のナットは樹脂製であってネジ穴に形成されるネジ山が不完全形状であったり、又はネジ山を形成しないストレート穴である為に、該ネジ穴にネジが螺合する場合、ネジのネジ山にてナットのネジ山が切削される。従って、ネジ山同士は互いに密着して緩みを防止することが出来る。
【００１８】
そして、本発明のナットはその底面が凹状化している。従って、ナットをネジに螺合して締め付ける場合、ナットの底部は変形して皿ワッシャとしての作用効果を発揮することが出来る。ナットと一体化した皿ワッシャは大きな締付け力に耐えることが出来、該ナットの緩み防止効果が得られる。
【図面の簡単な説明】
【図１】本発明に係るナットの平面図及び正面図。
【図２】図１におけるＡ−Ａ断面図。
【図３】図２のＢ部拡大図であり、ネジが螺合している場合。
【図４】ストレートネジ穴のナット断面図。
【図５】一般的な縁無しメガネ。
【符号の説明】
１  底部
２  胴部
３  頭部
４  ネジ穴
５  ネジ山
６  谷部
７  ネジ
８  ネジ山
９  底面
１０  外周縁
１１  ネジ穴
【図１】
2005054812.tif 000003
【図２】
2005054812.tif 000004
【図３】
2005054812.tif 000005
【図４】
2005054812.tif 000006
【図５】
2005054812.tif 000007